(57)【要約】【課題】時間の経過に応じてクリーンセーバを起動させるか否かの判断を行う形態では、仮にパソコン等の利用者が席を立っても、所定時間経過しない限りスクリーンセーバを起動させることがないので、その所定時間の間に悪意の第三者がデータを盗み見されたりする。【解決手段】受信レベル判定部１０７による判定値が所定値よりも高ければ、制御部１０９はスクリーンセーバを起動するようにし、その後、受信レベル判定部１０７による判定値が所定値以上となった時点で、スクリーンセーバを解除するようにする。【選択図】図３
2008039874.tif 000002
【特許請求の範囲】
【請求項１】
無線通信装置と情報端末機器とを備えるスクリーンセーバ表示システムにおいて、前記無線通信装置は、信号を送信する送信部を備え、前記情報端末機器は、文字や画像を表示する表示部と、前記送信部から送信される信号の受信レベルを判定する受信レベル判定手段と、スクリーンセーバの起動又は停止を行い前記表示部にスクリーンセーバを表示させる制御部とを備え、前記制御部は、前記受信レベル判定手段により判定される受信レベルが所定値以下となればスクリーンセーバを起動させ、受信レベルが前記所定値を超えればスクリーンセーバを停止させるスクリーンセーバ表示システム。
【請求項２】
制御部がスクリーンセーバを起動しているとき、表示部に表示するスクリーンセーバの画面を受信レベル判定手段により判定される受信レベルに応じて切り換える請求項１記載のスクリーンセーバ表示システム。
【請求項３】
無線通信装置に注意を促す報知部を設け、制御部はスクリーンセーバを停止したときに、前記報知部に対して注意を促すように要求する信号を送信する請求項２記載のスクリーンセーバ表示システム。
【請求項４】
送信部を表示部の端部に構成する請求項１か３のいずれか１項に記載のスクリーンセーバ表示システム。
【請求項５】
文字や画像を表示する表示部と、外部無線通信装置から送信される信号の受信レベルを判定する受信レベル判定手段と、スクリーンセーバの起動又は停止を行い前記表示部にスクリーンセーバを表示させる制御部とを備え、前記制御部は、前記受信レベル判定手段により判定される受信レベルが所定値以下となればスクリーンセーバを起動させ、受信レベルが前記所定値を超えればスクリーンセーバを停止させる情報端末機器。
【請求項６】
制御部がスクリーンセーバを起動しているとき、表示部に表示するスクリーンセーバの画面を前記受信レベル判定手段により判定される受信レベルに対応する画面に切り換える請求項１記載の情報端末機器。
【発明の詳細な説明】
【技術分野】
【０００１】
本発明は、スクリーンセーバを行うスクリーンセーバ表示システム及び情報端末機器に関するものであって、従来のこの種のシステム及び情報端末機器は、ある時間差で表示画面の比較を行い、その比較結果が一致しており、かつカウント値が所定時間を経過していればスクリーンセーバを起動させる。また、比較結果が一致していなければ、カウント値をリセットしつつスクリーンセーバを起動させることはない。
【０００２】
これによれば、表示画面に同じ画像を長時間にわたって表示した際にその画像が表示画面に焼き付いてしまうこと（いわゆる“焼き付き”）を防止して、パソコン等の表示画面を保護することができる（例えば、特許文献１参照）。
【特許文献１】特開平６−５９６５６号公報
【発明の開示】
【発明が解決しようとする課題】
【０００３】
しかしながら、上記従来の構成では、仮にパソコン等の利用者が席を立っても、所定時間経過しない限りスクリーンセーバを起動させることがないので、その所定時間の間に悪意の第三者がデータを盗み見したりすることも考えられる。
【０００４】
これに対しては、上記所定時間を短めに設定して、利用者が席を立てばすぐにスクリーンセーバを起動するようにしてもよいと考えられる。しかし、この場合には利用者が席を立たなくとも、少し手を止めただけでスクリーンセーバが働き、パソコンによる作業性を大きく低下させてしまう。
【課題を解決するための手段】
【０００５】
前記従来の課題を解決するために、本発明のスクリーンセーバ表示システムにおける情報端末機器は、文字や画像を表示する表示部と、送信部から送信される信号の受信レベルを判定する受信レベル判定手段と、スクリーンセーバの起動又は停止を行い表示部にスクリーンセーバを表示させる制御部とを備え、その制御部は、受信レベル判定手段により判定される受信レベルが所定値以下となればスクリーンセーバを起動させ、受信レベルがその所定値を超えればスクリーンセーバを停止させるようにするものである。
【０００６】
これによれば、使用者が席に立つことに連動してスクリーンセーバが起動されるので、悪意の第三者からデータを盗み見されることが回避できる。
【発明の効果】
【０００７】
本発明のスクリーンセーバ表示システムは、使用者が席に立つことに連動してスクリーンセーバが起動されるので、悪意の第三者からデータを盗み見されることが回避できる。
【発明を実施するための最良の形態】
【０００８】
第１の発明は、スクリーンセーバ表示システムに関するもので、無線通信装置は、信号を送信する送信部と、注意を促す報知部とを備え、情報端末機器は、文字や画像を表示する表示部と、送信部から送信される信号の受信レベルを判定する受信レベル判定手段と、スクリーンセーバの起動又は停止を行い表示部にスクリーンセーバを表示させる制御部とを備え、制御部は受信レベル判定手段により判定される受信レベルが所定値以下となればスクリーンセーバを起動させ、受信レベルが所定値を超えればスクリーンセーバを停止させるようにしたものである。
【０００９】
これによれば、使用者が席に立つことに連動してスクリーンセーバが起動されるので、悪意の第三者からデータを盗み見されることが回避できる。
【００１０】
第２の発明は、特に、第１の発明における制御部がスクリーンセーバを起動しているとき、表示部に表示するスクリーンセーバの画面を受信レベル判定手段により判定される受信レベルに対応して切り換えるものである。
【００１１】
これによれば、スクリーンセーバの画面を見ただけで、周囲の人間はその使用者がどの程度遠くにいるのか、あるいは近くにいるのかを把握することができる。
【００１２】
第３の発明は、特に、第２の発明において、無線通信装置に注意を促す報知部を設け、制御部はスクリーンセーバを停止したときに、その報知部に対して注意を促すように要求する信号を送信するものである。
【００１３】
これによれば、使用者がパソコンから離れているにも関わらずスクリーンセーバが解除されて悪意の第三者がデータを盗み見しようとしていることを、遠く離れていても知ることができ、すぐに駆けつけることができる。
【００１４】
第４の発明は、特に、第１から第３のいずれか１つの発明の送信部において、表示部の上端部に構成するようにしたものであるので、電波をさえぎる周囲の障害物の影響をできるだけ取り除いた上で通信を行うことができる。
【００１５】
また、第５の発明は情報端末機器に関するもので、文字や画像を表示する表示部と、外部無線通信装置から送信される信号の受信レベルを判定する受信レベル判定手段と、スクリーンセーバの起動又は停止を行記表示部にスクリーンセーバを表示させる制御部とを備え、制御部は、受信レベル判定手段により判定される受信レベルが所定値以下となればスクリーンセーバを起動させ、受信レベルが所定値を超えればスクリーンセーバを停止させるものである。
【００１６】
これによれば、使用者が席に立つことに連動してスクリーンセーバが起動されるので、悪意の第三者からデータを盗み見されることが回避できる。
【００１７】
第６の発明は、特に、第２の発明における制御部がスクリーンセーバを起動しているとき、表示部に表示するスクリーンセーバの画面を受信レベル判定手段により判定される受信レベルに対応じた画面に切り換えるものである。
【００１８】
これによれば、スクリーンセーバの画面を見ただけで、周囲の人間はその使用者がどの程度遠くにいるのか、あるいは近くにいるのかを把握することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるスクリーンセーバ表示システムの図を示すものである。スクリーンセーバ表示システムは、情報端末機器１００と無線通信装置２００とから構成されている。情報端末機器１００は例えばパーソナルコンピューター（パソコン）などであって、ディスプレイに相当する表示部１０１と、キーボードやマウスなどの入力機器に相当する操作入力部１０２により、使用者は情報端末機器１００で作業を行うことができる。また、使用者がキーボードやマウスなどの操作入力部１０２から行った操作や入力は操作検出部１０３により認識される。操作検出部１０３は、例えばスクリー
ンセーバを解除して停止する際に用いられ、操作検出部１０３で操作や入力が認識されれば、スクリーンセーバを解除することができる。また、スクリーンセーバのための画像の種類は、設定や自動で切り替えることができ、記憶部１０４にはスクリーンセーバ用の複数の画像が記憶されている。
【００２１】
さらに、情報端末機器１００は表示部１０１の端部の箇所に通信モジュール１０５を備えており、無線通信装置２００と無線通信を行うことができる。通信モジュール１０５は、受信部１０６と、その受信信号の電力レベルを判定する受信レベル判定部１０７を備えており、アンテナ１０８から受信できた受信信号は、一旦受信部１０６で復号化などの様々な処理を経て、受信レベル判定部１０７で受信信号の電力レベルを判断し、その結果を制御部１０９に伝える。また、送信部１１０は制御部１０９から無線通信装置２００に対して信号を発することもでき、アンテナ１０８を介して送信される。また、制御部１０９は、適宜タイミングでスクリーンセーバを起動させ、適宜タイミングでスクリーンセーバを解除することも行っている。
【００２２】
なお、図１では情報端末機器１００において、表示部１０１と制御部１０９とを一体に構成したように図示したが、これらは別々の機器で構成されてもよく、本実施の形態に影響を及ぼすものではない。
【００２３】
次に、無線通信装置２００について説明すると、無線通信装置２００は一定時間間隔おきに制御部２０１、送信部２０２、アンテナ２０３を介して信号を送信しており、情報端末機器１００と無線通信を行っている。勿論、アンテナ２０３から受信した信号は受信部２０４から受信できる。また、受信部２０４は情報端末機器１００から警報発信要求信号を受信したときは、警報部２０５から警報（サイレン、ブザー、振動など）を鳴らすようにしている。なお、無線通信装置２００は洋服のポケットに収まる程度の小型のカード形状であったり、持ち運び容易なキーホルダー形状であり、情報端末機器１００は随時身につけて行動している。
【００２４】
以上のようなスクリーンセーバ表示システムにおいて、まずスクリーンセーバが起動する際の説明をする。先ほども説明したように、無線通信装置２００は一定時間間隔おきに制御部２０１、送信部２０２、アンテナ２０３を介して信号を送信しており、情報端末機器１００と無線通信を行っている。そして、無線通信装置２００からの信号をアンテナ１０８を介して受信部１０６で受信すると、その信号の電力レベルを受信レベル判定部１０７で判定する。
【００２５】
ここで、受信信号の受信レベルと情報端末機器１００及び無線通信装置２００間の距離については、図２に示すような関係がある。すなわち、受信レベルは情報端末機器１００及び無線通信装置２００間の距離に反して減衰しており、例えば情報端末機器１００及び無線通信装置２００間の距離が約１５ｍのときは受信レベルが２を示すようになっている。また、情報端末機器１００及び無線通信装置２００間の距離が約５ｍのときは受信レベルが４を示すようになっている。なお、この関係性は通信路の状況に応じて適宜変わるものであるから、事前にこの対応関係は確認するようにすべきである。
【００２６】
次に、制御部１０９の処理手順を図３と共に説明する。受信レベル判定部１０７からの判定値を受け取った制御部１０９は、まずその判定値が所定値以下であるか否かを判定する（ステップＳ３０１）。ここで、判定値が所定値以下でなければ情報端末機器１００と無線通信装置２００間の距離（情報端末機器１００と使用者の距離）は短いこととなるので、スクリーンセーバを起動しないようにする。
【００２７】
次に、ステップＳ３０１において判定値が所定値よりも低ければ、情報端末機器１００
と無線通信装置２００間の距離（情報端末機器１００と使用者の距離）は離れていることとなるので、スクリーンセーバを起動するようにする（ステップＳ３０２）。
【００２８】
そして、その後も情報端末機器１００と無線通信装置２００とは無線通信を行っており、受信レベル判定部１０７からの判定値を監視し（ステップＳ３０３）、その判定値が所定値より下回っている間はスクリーンセーバを起動させたままとするが、受信レベル判定部１０７からの判定値が所定値以上となった時点で、情報端末機器１００と無線通信装置２００間の距離（情報端末機器１００と使用者の距離）は短くなるので、スクリーンセーバを解除するようにする（ステップＳ３０４）。
【００２９】
以上のように、本実施の形態によれば、使用者が席に立つことに連動してスクリーンセーバが起動されるので、悪意の第三者からデータを盗み見されることが回避できる。
【００３０】
（実施の形態２）
第１の実施の形態では、情報端末機器１００と無線通信装置２００間の距離（情報端末機器１００と使用者の距離）に応じて、スクリーンセーバを起動又は停止を行っていたが、受信レベル判定部１０７からの判定値によれば、その距離が大よそ把握できるので、さらに利便性の高いスクリーンセーバ機能を提供することができる。
【００３１】
そこで、図４のように受信レベル判定部１０７からの判定値に対応したスクリーンセーバ用画像を事前に決めておく。これらスクリーンセーバ用画像は記憶部１０４に記憶されており、必要に応じて制御部１０９が判定値に対応したスクリーンセーバ用画像を選択する。
【００３２】
図５は、例えば図４のように設定した場合の表示部１０１の具体的な表示例である。スクリーンセーバ用画像（＃１）は「暫く戻りません」と表示する画像であり、受信レベルがほぼ０に近い場合に表示させるものである。これは、情報端末機器１００と無線通信装置２００間の距離が十分に離れている場合に相当するから、使用者は遠くにいる旨を伝えるメッセージを表示すればよく、特にメッセージを限定することはない。
【００３３】
スクリーンセーバ用画像（＃２）は「会議中です」と表示する画像であり、受信レベルが１前後である場合に表示させるものである。また、スクリーンセーバ用画像（＃３）は「トイレ中です」と表示する画像であり、受信レベルが２前後である場合に表示させるものである。これは、事務所にとっては会議室の方がトイレよりも遠い位置にあるという一例であるので、スクリーンセーバ用画像（＃２）とスクリーンセーバ用画像（＃３）を位置関係に応じて入れ替えて表示してもよい。
【００３４】
そして、スクリーンセーバ用画像（＃４）は「もうすぐ戻ります」と表示する画像であり、受信レベルが３前後である場合に表示させるものである。図２によれば、受信レベルが３であれば情報端末機器１００と無線通信装置２００間の距離が５〜１０ｍの範囲であるので、使用者はもうすぐ戻る旨の表示をしているものである。
【００３５】
次に、制御部１０９の処理手順を図６と共に説明する。なお、ステップＳ３０１からステップ３０４については、図３で説明したものと同様であるので説明を省略する。図６においては、ステップＳ３０３で受信レベル判定部１０７からの判定値が所定値より下回っていれば、制御部１０９は、その判定部に応じたスクリーンセーバ用画像を記憶部１０４から選択する。例えば、受信レベルが２前後である場合はスクリーンセーバ用画像（＃３）を記憶部１０４から選択し、表示部１０１に表示する。
【００３６】
以上のように、本実施の形態によれば、スクリーンセーバの画面を見ただけで、周囲の
人間はその使用者がどの程度遠くにいるのか、あるいは近くにいるのかを把握することができる。
【００３７】
なお、受信レベルではなく、受信レベルの推移に基づいて画像を選択する形態としてもよい。例えば、使用者が情報端末機器１００へ戻ってきて、受信レベルが上がっていく場合には、スクリーンセーバ用画像として「ただいま戻ってくる最中です」と記載されている画像を表示してもよい。
【００３８】
また、上記第１と第２の実施の形態において、受信レベルが２や３のように情報端末機器１００と無線通信装置２００間の距離がある程度離れているにも関わらず、操作入力部１０２によりスクリーンセーバが解除されたときは、送信部１１０から警報要求信号を無線通信装置２００に送信し、警報部２０５から警報を鳴らすようにしてもよい。
【００３９】
また、図７のように、通信モジュール１０５を表示部１０１の上端部に設置しているので、電波をさえぎる周囲の障害物の影響をできるだけ取り除いた上で通信を行うことができる。勿論、外部からは目視できないように筐体内に設置してもよいし、電波用の窓のような矩形状の開口部を設けて設置してもよい。また、図７では、いわゆる「ノート型パソコン」を示す図であるが、いわゆる「デスクトップ型パソコン」であっても本実施の形態に影響を与えるものではない。
【００４０】
また、本実施の形態では、情報端末機器１００をパソコンとして説明したが、表示画面を有し表示画面に同じ画像を長時間にわたって表示した際に発生する“焼き付き”が生じるものであれば、特に情報端末機器１００を限定するものではない。
【産業上の利用可能性】
【００４１】
以上のように、本発明にかかるスクリーンセーバ表示システム及び情報端末機器は、機器と人との距離に応じてスクリーンセーバを起動又は解除できるので、特別な作業がなくともスクリーンセーバを利用することができ、悪意の第三者からデータを盗み見されることが回避できるもので、表示画面を有する様々な機器に適用することができる。
【図面の簡単な説明】
【００４２】
【図１】第１の実施の形態のスクリーンセーバ表示システムの構成図
【図２】受信レベルと距離の関係図
【図３】第１の実施の形態の処理フロー図
【図４】第２の実施の形態における受信レベルと画像の関係図
【図５】第２の実施の形態における表示例を示す図
【図６】第２の実施の形態の処理フロー図
【図７】第１及び第２の実施の形態における情報端末機器の概観図
【符号の説明】
【００４３】
１００  情報端末機器
１０１  表示部
１０２  操作入力部
１０３  操作検出部
１０４  記憶部
１０５  通信モジュール
１０６  受信部
１０７  受信レベル判定部
１０８  アンテナ
１０９  制御部
１１０  送信部
２００  無線通信装置
２０１  制御部
２０２  送信部
２０３  アンテナ
２０４  受信部
２０５  警報部
【図１】
2008039874.tif 000003
【図２】
2008039874.tif 000004
【図３】
2008039874.tif 000005
【図４】
2008039874.tif 000006
【図５】
2008039874.tif 000007
【図６】
2008039874.tif 000008
【図７】
2008039874.tif 000009